(57)【要約】【課題】降雨量の少ない、砂漠地域、或は保水性の少ない地域の緑化植栽に関する物で、保水性のある合成土壌として、でんぷんを糊化し低温老化処理を行い吸水性、保水耐久性を高めた天然物の加工品を利用し、これに播種した植物を生育させ、簡単に環境構造を転換させる自然環境を破壊しない植栽法に関するものである。【解決手段】粒状の加工でんぷん、或はでんぷんを主成分とする粒状品を植物性の資材たとえば腐埴土、紙粉、木粉、おから乾燥品、有機肥料、炭酸カルシウム、石灰岩末、貝殻などの無機物の混合物に希望の植物種子加え、透可性の袋に充填し、砂漠或は乾燥地に植え、その後降雨により、粒状品が速やかに吸水し植物種子を取り巻く人工土壌が保水される。保水された水は透可性の袋内に植物種子が発芽できる小さな環境を作り、発芽後生長し、乾燥地帯の少ない水分を外部より吸収し、植物が生長し緑化植裁が行われる。【特許請求の範囲】
【請求項１】
でんぷんを加水混練、加熱糊化し、老化処理後乾燥し、希望の粒子に成粒した乾燥粒状物１０メシュパスを作り、この粒状物と必要に応じて肥料を加え、透水性の袋に植物種子を加え充填することを特徴とする乾燥地緑化植栽床の製造法。
【請求項２】
請求項１に示すでんぷんは、その種類を問はない。そのでんぷんの代わりにでんぷん製造原料の、いも、穀物等の粉末を利用し、加水混練、加熱糊化し、老化処理後、希望の粒子に成粒した乾燥粒状物１０メシュパスを作り、この粒状物と必要に応じて肥料を加え、透水性の袋に植物種子を加え充填することを特徴とする乾燥地緑化植栽床の製造法。
【発明の詳細な説明】
【技術分野】
【０００１】
この発明は降雨量の少ない、いわゆる砂漠地域、あるいは土質が固く、保水性の少ない地域の緑化植栽に関するもので、保水性のある合成土壌として、天然物の粉砕物、天然物の加工品を利用し、播種した植物の生育が完了すると、それを構成した合成土壌は微生物により自然に崩壊する、自然環境を破壊しない植栽法に関するものである。
【背景技術】
【０００２】
降雨量の少ない、いわゆる砂漠地域、あるいは土質が固く、保水性の少ない地域の緑化植栽増進が望まれているが、砂漠地域、あるいは土質が固く、保水性の少ない地域の緑化は地球環境の保護のため重要であるが、苗木を植え、潅水を充分にしないと活着の成功率が少ないので、緑化計画に先立ち灌漑計画等土木工事を先行させなければならない。また乾燥期には砂塵が吹き荒れるので、砂防工事も併せて必要となり、多額の費用がかかるので問題がある。  
【０００３】
種子を砂漠あるいは乾燥地に播種しても、継続的に降雨が期待されず、発芽効率が少なく、発芽しても、自力で水を摂取できる程度に生育させることは極めて困難であるので、合成保水材として生分解性プラスチック等の吸水性ポリマ−などの使用が提案されている。（特開平５−３２０２７０）
石油化学製品を使用することは地球環境を破壊する原因となり、かつ多額の費用がかかるので問題がある。
【０００４】
人口土壌として古着、植物繊維を利用する人工土壌（特開２００３−２３８５４）が提案されている。古着、植物繊維は保水力の弱くその持続性に問題があり、遠隔地の緑化植栽には問題がある。
【０００５】
生分解性樹脂と植物由来のたんぱく質乾燥粉末からなる生分解性樹脂の整形物は吸水性が高く、耐久性もあり、植栽緑化に有効であることが提案されている（特開２００２−１０２９０８）。この製造には高価な加工設備が必要で問題がある。
【０００６】
乾燥地帯でも、植物が安定して生育しやすいような特殊な構造体を作るこが提案されているが（特開平１１−４６５８４）、この構造が複雑で構成するユニットの規模が小さいので、利用され難い。
【０００７】
木質系粉末と有機質繊維と高吸水性の樹脂を混合して、圧縮成形体を作る。この圧縮成形体からなる栽培床が提案されている（特開平６−１５３６８９）砂漠の育苗の利用には有効であるが、大規模の緑化には利用できない。
【特許文献１】特開平５−３２０２７０
【特許文献２】特開２００３−２３８５４
【特許文献３】特開２００２−１０２９０８
【特許文献４】特開平１１−４６５８４
【特許文献５】特開平６−１５３６８９
【発明の開示】
【発明が解決しようとする課題】
【０００８】
この発明は上記実情に鑑み、従来から砂漠緑化にはまず灌漑設備を計画するなど環境構造の設計計画を行い、大型の土木改良工事が必要であり、多額の資本投下が必要であった。
環境にやさしく、まず天然素材を用い、砂漠、乾燥地に強い植物を先行して植栽し、緑化を推進し、環境を徐々に転換させ、植栽した植物の力も活用して、自然環境を改善する植栽法を提案するものである。
【課題を解決するための手段】
【０００９】
でんぷんは微生物により分解され易く、その分解生産された分解物は植物の生育を阻害することはなく、生育に有用に作用する。
でんぷんを加水混練後加熱糊化し、老化処理後、希望の粒子に成粒した乾燥粒状物１０メシュパスは糊化老化変成することにより、その物性が変化し、重量の数倍の水を長期にわたり保水することができ、吸水性が向上する。成形した粒子は物理的な耐久性を保持し、粘性は低下し、べた付かず、植物を育成する人工土壌として利用できることを研究の結果見出した。
【発明の効果】
【００１０】
この発明によれば降雨量のすくない、いわゆる砂漠地域、あるいは土質が固く、保水性の少ない地域を植栽し緑化することが簡単にできる。すなわち保水性のある合成土壌として、でんぷん質を糊化し低温老化処理をし、吸水性、保水力を高めたものを用い、植栽後、少量の降雨があればこの水を保持して種子の発芽、生育を行わせ、砂漠地域、あるいは土質が固く、保水性の少ない地域を緑化させることができ、植物を生育させることにより、さらに自然環境を改変し、緑化を促進することができる。
【発明を実施するための最良の形態】
【００１１】
この発明の粒状の加工でんぷん、あるいはでんぷんを主成分とする粒状物を植物の育苗の人工土壌として利用し、乾燥地緑化植栽に利用するものである。
これらの粒状物と植物性の資材たとえば腐埴土、紙粉、木粉、おから乾燥品、脱脂糠、有機肥料、炭酸カルシウム、石灰岩末、貝殻などの混合物と希望の植物種子を透可性の袋に充填したものを、砂漠あるいは乾燥地に適当な間隔で植えると、その後の降雨により、でんぷん、あるいはでんぷんを主成分とする粒状物が速やかに吸水し、植物種子を取り巻く人工土壌が保水する。保水された水は透可性の袋内に植物種子が発芽できる小さな環境を作り、植物種子は発芽し、やがて生長し、その小環境の袋を破り、乾燥地帯の少ない水分を外部より吸収し、自らの力により自然環境を改善し、植物が生長し、緑化植裁が行われるのである。
【００１２】
でんぷんを加水し混練加熱糊化し、老化処理することにより、でんぷんの物性を変え、吸水性を向上させると共に粒子の構造耐久性を作ることができることを見出した。この粒状でんぷんは水を速やかに吸水し（重量の４〜７倍の水）、保持し離水をしない、すなわち透水性の袋に充填したこの粒状でんぷんは降水による水を速やかに吸水保持して種子の発芽を促進し、その後の降雨による水の補給が無くても植物の生長を維持させることができる。
【００１３】
使用するでんぷんの種類は地下でんぷん（各種いも類でんぷん）、地上でんぷん（米、むぎ類、とうもろこし等穀類でんぷん、豆由来のでんぷん）、その他のでんぷん（タピオカ、サゴ椰子等のでんぷん）など種類は特定するものではなくこれらの混合物でもよい。
【００１４】
使用するでんぷんは分離精製したでんぷんである必要は無く、これらのでんぷんを構成する原体、すなわちいも類（甘藷、馬鈴薯、里いも、タピオカ）、穀類（米、むぎ、とうもろこし、雑穀）あるいはこれらの粉砕品、乾燥粉砕品の混合物でも良い。このようにでんぷんの代わりにでんぷんを分離する原料素材を利用することにより、原料調達コストを下げることが可能となり、でんぷん以外の植物有機成分を加えることになり、植物が発芽し生長する時の生長栄養成分としてこれらの成分が働き、有効であることを見出した。
【００１５】
でんぷんを加水混練後加熱糊化し、老化処理する手段は通常の加水混練、加熱の方法を問わない、この複数の加工手段を一段階で処理できるエクストル−ダ−処理も利用することができ、物性の向上を更に行うことができた。
【００１６】
でんぷんを加水混練後加熱糊化し、老化処理の原料の段階で、肥料成分、無機質成分を添加加工することも可能である。
【００１７】
植栽に利用する種子の種類は特定しないが、特に強い乾燥地には、荒涼地に強い、くずが好ましく、砂地などに強い松の種類も適切である。緑化植栽する地域の環境、降雨量も考慮して選定することが望ましい。
【００１８】
透過性の袋は既知の麻袋、あるいは有孔性の合成樹脂の袋でもよいが、袋に充填した時に植栽する場所に可搬できるような強度を持つことは必要であり、水を透過することができ、その袋の構成物が、植物の生長後、分解して自然に帰るような材質のものが好ましい。
【実施例１】
【００１９】
透過性の横２０センチ、縦６０センチの袋に腐葉土１００ｇ、有機肥料または油かす２０ｇ、甘藷でんぷんを糊化し、低温で老化処理後１０メッシュパスに制粒した粒状でんぷんを５００ｇの順に入れ、さらにくずの種子３粒を粒状でんぷん中に入れてとじる。この充填物を後に降雨が期待される時期に適当な間隔で植栽する。春になり、降雨があり、粒状のでんぷんが直ちに吸水し、保水し、発芽し、気温の上昇ともに植物に生長し緑化が行われる。
【実施例２】
【００２０】
米の粉砕物１００部に３０部の加水を行い混練し、撹拌摩擦により発熱処理の可能の機能を備えたエクストル−ダ−（押し出し制形機）に連続投入処理を行い、押し出し整形後、冷却老化させ乾燥したものを粉砕制粒し１０メッシュパス粒状造粒品人工土壌を作る。この造粒物５５０ｇと石灰岩末５０ｇを透過性の横２０センチ、縦６０センチの袋に入れ、松の種子３粒を加えとじる。この充填物を乾燥地に適当な間隔で、植栽後、降雨が期待される時期の前に植え、引き続き降雨があり、粒状のでんぷんが吸水し、保水し、発芽し、気温の上昇ともに植物に生長し緑化が行われる。